(57)【特許請求の範囲】
【請求項１】
通路を挟んで対向配置した発光素子と受光素子をケースのガイド部に下から挿入して装着したフォトインタラプタにおいて、前記発光素子を覆う前記ケースの左右の側面と前記発光素子の間に位置して上下に延びるフックを前記ケースに一体形成し、このフックによって前記発光素子の抜け止めを行なったフォトインタラプタにおいて、前記発光素子に厚肉のレンズ部を一体的に設けるとともに、このレンズ部の左右方向両側に突起を形成し、前記フックと前記突起の係合によって前記発光素子の抜け止めを行なったことを特徴とするフォトインタラプタ。
【請求項２】
通路を挟んで対向配置した発光素子と受光素子をケースのガイド部に下から挿入して装着したフォトインタラプタ用の発光装置において、前記発光装置は、前記発光素子に厚肉のレンズ部を一体的に設けるとともに、このレンズ部の左右方向両側に突起を形成したものからなり、前記ケースの左右の側面と前記発光素子の間に位置して上下に延びるフックを形成し、前記フックと前記突起の係合によって前記発光装置の抜け止めを行なったことを特徴とするフォトインタラプタ用の発光装置。
【発明の詳細な説明】
【０００１】
【発明の属する技術分野】
本発明はフォトインタラプタ、並びにそれに用いることができる発光装置に関する。
【０００２】
【従来の技術】
フォトインタラプタを構成するために、発光素子と受光素子を対面してケースに固定する際、その組立作業性を高めるために、ケースにフックを形成し、このフックで素子の抜け止めを図る手法が採用されている（実開平６−５０３６５号公報参照）。
【０００３】
【発明が解決しようとする課題】
上記抜け止め用のフックは、ケースの背面や天面を切り欠いて形成しているので、外部光の影響を受けやすい。特に、受光素子が透明樹脂のみによってモールドされている場合は、背面や天面から侵入する外部光によって検出信号の状態が悪影響を受けやすい。
【０００４】
また、素子の下面の一方をフックで支えるのみであるので、素子形状が大型化した場合、例えば大型のレンズを採用した場合に、光軸がずれやすくなる。
【０００５】
そこで本発明は、外部光の影響を受け難いフォトインタラプタを提供することを主な課題とする。また、ケースに素子を確実に保持することを課題の1つとする。
【０００６】
【課題を解決するための手段】
本発明のフォトインタラプタは、請求項１に記載のように、通路を挟んで対向配置した発光素子と受光素子をケースのガイド部に下から挿入して装着したフォトインタラプタにおいて、前記発光素子を覆う前記ケースの左右の側面と前記発光素子の間に位置して上下に延びるフックを前記ケースに一体形成し、このフックによって前記発光素子の抜け止めを行なったフォトインタラプタにおいて、前記発光素子に厚肉のレンズ部を一体的に設けるとともに、このレンズ部の左右方向両側に突起を形成し、前記フックと前記突起の係合によって前記発光素子の抜け止めを行なったことを特徴とする。
【０００７】
本発明の発光装置は、請求項２に記載のように、通路を挟んで対向配置した発光素子と受光素子をケースのガイド部に下から挿入して装着したフォトインタラプタ用の発光装置において、前記発光装置は、前記発光素子に厚肉のレンズ部を一体的に設けるとともに、このレンズ部の左右方向両側に突起を形成したものからなり、前記ケースの左右の側面と前記発光素子の間に位置して上下に延びるフックを形成し、前記フックと前記突起の係合によって前記発光装置の抜け止めを行なったことを特徴とする。
【００１０】
【発明の実施の形態】
以下本発明の実施例を図面を参照して説明する。図１はフォトインタラプタ１の縦断面図、図２は同横断面図、図３、図４は要部の分解斜視図である。
【００１１】
フォトインタラプタ１は、遮光性のケース２内に受光素子３と発光素子４を通路５を挟んだ状態で対面して保持した構成としている。
【００１２】
ケース2は、下面６が開放した樹脂製の箱体で、対向する左右の側面７，８と上面９の一部が切り欠かかれて前記通路５を形成している。ケース２の内部には、通路５を挟んだ一方の側に、下面６側から挿入される受光素子３をガイドするためのガイド部１０が上下方向に形成され、通路5を挟んだ他方の側に、下面６側から挿入される発光素子４をガイドするためのガイド部１１が上下方向に形成されている。前記各ガイド部１０，１１は、それぞれ一対の溝によって形成しているが、他の構成とすることもできる。
【００１３】
ケース２の前後の側面１２，１３は、受光素子３や発光素子４の背面方向からケース２内に侵入する光が無くなるように、無孔構造としている。受光素子３は、その左右と背面が、この前側面１２とその左右に位置する側面７，８の無孔部分によって遮光された状態で覆われる。発光素子４も、その左右と背面が、後側面１３とその左右に位置する側面７，８の無孔部分よって遮光された状態で覆われる。
【００１４】
前側面１２と受光素子３（ガイド部１０）の間には、受光素子３の抜け止めを行なうためのフック１４を配置している。このフック１４は図3に示すように、受光素子３の背面に形成した突起１５と係合するようにＵ字形状とされ、ケース3の上面９から下向きに延びるようにケース２に一体に形成されている。前側面１２とフック１４の間には、フック１４の弾性変形を許容するように、突起１５の高さ寸法よりも大きな幅の空間１６を形成している。
【００１５】
通路５と後側面１３（ガイド部１１）の間には、発光素子４の抜け止めを行なうための一対のフック１７、１７を配置している。このフック１７，１７は、図４に示すように、発光素子４（そのレンズ部）の左右側部に形成した突起１８と係合するように、先端内側の互いに向き合う部分に係止部１９を備えて構成され、ケース２の上面から下向きに延びるようにケース２に一体に形成されている。フック１７，１７とケースの左右側面との間には、フックの弾性変形を許容する空間２０，２０が形成されている。
【００１６】
１４ａ，１７ａは、前記フック１４，１７を形成する際の金型構造に起因してケースの上面に形成された微小孔、２１，２１はケース固定用のフックである。
【００１７】
受光素子３は、リード２２に受光チップ２３を固定し、チップ２３の背面や側面を囲むように遮光性樹脂２４を設けて構成している。樹脂２４は、平面矩形状とし、その左右と上部に前記ガイド部１０に挿入されるガイドリブ２５を一体に形成している。チップ２３は、露出した状態とすることもできるが、この例ではワイヤボンドなどの配線処理を施した後に、透明な樹脂２６をモールドすることによってチップ２３の保護を図っている。樹脂２４の背面には、上面にテーパーが形成された前記突起１５が一体に形成されている。
【００１８】
発光素子４は、リード２７に発光チップ２８を固定し、チップ２８の背面や側面を囲むように遮光性樹脂２９を設けて構成している。樹脂２９は、平面矩形状とし、その左右に係止用突起３０，３０を一体に形成している。チップ２８は、露出した状態とすることもできるが、この例ではワイヤボンドなどの配線処理を施した後に、透明な樹脂３１をモールドすることによってチップ２８の保護を図っている。
【００１９】
発光チップ２８の光を平行な光に変換する必要がある場合などは、前記透明樹脂３１にレンズ部を一体的に形成するのが一般的である。しかしながら、レンズ部の形状が制約されるので、所望形状のレンズを配置することが困難となる。そこで、発光素子４にこれとは別体のレンズ部３２を装着して発光素子を構成している。図４に示すように、レンズ部３２は、円筒状部分３３の先端にレンズ３４を一体に形成し、円筒状部分３３の基端に矩形のフランジ部３５を一体に形成している。フランジ部３５の円筒状部分３３とは反対側には、発光素子４を位置きめ固定するための爪３６が発光素子４の上下左右を囲むように形成されている。左右の爪３６には、前記発光素子４の突起３０が嵌まり込んで係合する係合孔３７が形成されている。
【００２０】
上記構成のフォトインタラプタ１は次のようにして組み立てられる。ケース２の下面６から受光素子３がケース内に挿入される。ここで、受光素子３はその左右のリブ２５がガイド部１０に案内されて上向きに移動する。この移動の途中に突起１５がフック１４の下端部を外向きに弾性変形させながら移動し、フック１４の下端部が突起１５の下に位置すると、フック１４がその弾性力によって基の位置に復帰する。その結果、フック１４が突起１５と係合して受光素子３の抜け止めが行われる。
【００２１】
次に発光素子４の挿入装着が行われる。この装着に先立って、レンズ部３２が発光素子４に装着されて一体化される。ここでレンズ部３２の光軸方向と同方向にレンズ部３２もしくは発光素子４の移動が行なわれ、爪３６と突起３０の係合によって両者の固定が行なわれる。レンズ部３２を装着した発光素子４は、ケース２の下面６から上向きにケース内に挿入されるが、この挿入方向は前記レンズ部３２の光軸と直交する方向になっている。ここで、発光素子４は、レンズ部３２のフランジ部３５がガイド部１１に案内されて上向きに移動する。この移動の途中にレンズ部３２の左右の突起１８，１８が一対のフック１７，１７の係止部１９を外向き広げるように弾性変形させながら移動し、フック１７の係止部１９が突起１８の下に位置すると、フック１７がその弾性力によって基の位置に復帰する。その結果、フック１７が突起１８と係合して発光素子４の抜け止めが行われる。
【００２２】
このようにして組み立てられたフォトインタラプタは、フック２１やリード２２，２７を所望の基板に挿入することにより回路部品として用いられる。
【００２３】
上記のように、ケース２に受光素子３や発光素子４を挿入するのみで簡単に装着することができるので、組立作業性を高めることができる。また、受光素子３や発光素子４の抜け止めを行なうフック１４，１７をケース２内に形成しているので、受光素子３や発光素子４の近傍に位置する側面にフック形成用の切り欠きを形成する必要性がなくなり、ケース２内に外部から侵入する光を減らして受光素子３の出力を外部光に影響を受けない安定なものとすることができる。
【００２４】
また、受光素子３は、その周囲を遮光性の樹脂２４によって覆っているので、金型用の孔１４ａなどを通って背面から侵入する光を有効に遮光することができる。発光素子４は、発光チップ２８の光を平行光に変換するための厚肉のレンズ部３２を備えているので、受光素子３と同様の保持構造ではガタツキが生じ易いが、ガイド部１１によって位置きめされるフランジ３５以外にも、レンズ部３２の左右をフック１７，１７によって保持しているので、ガタツキの発生を抑制し、レンズ部３２の光軸のずれを防ぐことができる。よって、このような発光素子４をケース２に収納した構造は、フォトインタラプタやそれに類する装置の光源用としての発光装置に好適である。
【００２５】
尚、上記実施例は、発光素子４とレンズ部３２を別体とし爪３６によって着脱自在な構成とすることによって、受光素子３とレンズ部３２の組合わせ時の選択性を高める構成としたが、レンズ部３２を発光素子４の樹脂モールド部３１と一体に形成することもできる。
【００２６】
【発明の効果】
以上のように本発明によれば、外部光の影響を受け難いフォトインタラプタを提供することができる。また、ケースに素子を確実に保持する構造を提供することができる。特に、ガタツキが生じやすい厚肉のレンズ部の左右をフックによって保持するので、ガタツキの発生を抑制し、レンズ部の光軸のずれを防ぐことができる。
【図面の簡単な説明】
【図１】本発明の一実施例のフォトインタラプタの縦断面図である。
【図２】本発明の一実施例のフォトインタラプタの横断面図である。
【図３】同実施例の要部分解斜視図である。
【図４】同実施例の要部分解斜視図である。
【符号の説明】
１  フォトインタラプタ
２  ケース
３  受光素子
４  発光素子
１４  フック
１５  突起
１７  フック
１８  突起
３２  レンズ部
【図１】
0004065096.tif 000002
【図２】
0004065096.tif 000003
【図３】
0004065096.tif 000004
【図４】
0004065096.tif 000005